(57)【要約】【課題】部品点数が削減された表示装置を提供する。【解決手段】ユーザーインターフェース１（表示装置）は、液晶表示パネル４と、縦型LED１４と、導光板６と、ホルダ７を備えている。ホルダ７の底板１７には、導光板６から底板１７側に出射された光を液晶表示パネル４側に反射するための反射面２４が形成されている。反射面２４は、ホルダ７の底板１７を略白色材料で構成することで形成されている。縦型LED１４は、配線基板８に搭載された状態で、光を配線基板８に対して略直交する方向へ出射するように構成されている。ホルダ７の周壁１６には、縦型LED１４から出射された光を反射して導光板６の受光面２２に入射させるための反射導光面２３が形成されている。【選択図】図５
2012138309.tif 000002
【特許請求の範囲】
【請求項１】
液晶表示パネルと、
前記液晶表示パネルのバックライト用光源と、
前記バックライト用光源から出射された光を前記液晶表示パネルに供給するための導光板と、
前記液晶表示パネルと前記導光板を収容する有底枠体状のホルダと、
を備え、
前記ホルダの底板には、前記導光板から前記底板側に出射された光を前記液晶表示パネル側に反射するための反射面が形成されている、
表示装置。
【請求項２】
請求項１に記載の表示装置であって、
前記反射面は、前記ホルダの前記底板を略白色材料で構成することで形成されている、
表示装置。
【請求項３】
請求項１に記載の表示装置であって、
前記反射面は、前記ホルダの前記底板に金属層を設けることで形成されている、
表示装置。
【請求項４】
請求項１〜３の何れかに記載の表示装置であって、
前記バックライト用光源は、前記ホルダを搭載する配線基板に搭載された状態で、光を前記配線基板の主面に対して略直交する方向へ出射するように構成されている、
表示装置。
【請求項５】
請求項４に記載の表示装置であって、
前記ホルダの周壁には、前記バックライト用光源から出射された光を反射して前記導光板の側面に入射させるための反射導光面が形成されている、
表示装置。
【請求項６】
請求項５に記載の表示装置であって、
前記反射導光面は、略平面状に形成されると共に、前記バックライト用光源からの光の出射方向と前記導光板の前記側面に対して傾斜するするように形成されている、
表示装置。
【請求項７】
請求項５に記載の表示装置であって、
前記反射導光面は、前記バックライト用光源からの光の出射方向に対して略直交し略平面状に形成される第１反射導光面と、前記導光板の前記側面に対して略平行であって略平面状に形成される第２反射導光面によって構成されている、
表示装置。
【請求項８】
請求項５に記載の表示装置であって、
前記反射導光面は、湾曲面状に形成されている、
表示装置。
【請求項９】
請求項５〜８の何れかに記載の表示装置であって、
前記反射導光面は、前記ホルダの前記周壁を略白色材料で構成することで形成されている、
表示装置。
【発明の詳細な説明】
【技術分野】
【０００１】
本発明は、表示装置に関する。
【背景技術】
【０００２】
この種の技術として、特許文献１は表示装置を開示している。この表示装置は、基板上に取り付けられるホルダと、ホルダ内に収容されて固定される導光板と、導光板の上部に配設される液晶表示パネルと、導光板の側面の受光面に光を出射する光源としてのLEDとを備えている。また、導光板の下面には、導光板内に入射した光を反射して液晶表示パネル側へ出射するための反射シートが設けられている。
【先行技術文献】
【特許文献】
【０００３】
【特許文献１】特開２００２−２５３２５号公報
【発明の概要】
【発明が解決しようとする課題】
【０００４】
しかしながら、特許文献１の表示装置には、部品点数の削減の観点から改善の余地が残されている。
【０００５】
本願発明の目的は、特許文献１の構成と比較して、部品点数が削減された表示装置を提供することにある。
【課題を解決するための手段】
【０００６】
本願発明の観点によれば、表示装置は、液晶表示パネルと、前記液晶表示パネルのバックライト用光源と、前記バックライト用光源から出射された光を前記液晶表示パネルに供給するための導光板と、前記液晶表示パネルと前記導光板を収容する有底枠体状のホルダと、を備える。前記ホルダの底板には、前記導光板から前記底板側に出射された光を前記液晶表示パネル側に反射するための反射面が形成されている。
好ましくは、前記反射面は、前記ホルダの前記底板を略白色材料で構成することで形成されている。
好ましくは、前記反射面は、前記ホルダの前記底板に金属層を設けることで形成されている。
好ましくは、前記バックライト用光源は、前記ホルダを搭載する配線基板に搭載された状態で、光を前記配線基板の主面に対して略直交する方向へ出射するように構成されている。
好ましくは、前記ホルダの周壁には、前記バックライト用光源から出射された光を反射して前記導光板の側面に入射させるための反射導光面が形成されている。
好ましくは、前記反射導光面は、略平面状に形成されると共に、前記バックライト用光源からの光の出射方向と前記導光板の前記側面に対して傾斜するするように形成されている。
好ましくは、前記反射導光面は、前記バックライト用光源からの光の出射方向に対して略直交し略平面状に形成される第１反射導光面と、前記導光板の前記側面に対して略平行であって略平面状に形成される第２反射導光面によって構成されている。
好ましくは、前記反射導光面は、湾曲面状に形成されている。
好ましくは、前記反射導光面は、前記ホルダの前記周壁を略白色材料で構成することで形成されている。
【発明の効果】
【０００７】
本願発明によれば、特許文献１の反射シートを省略することができるので、この点、部品点数が削減された表示装置が実現される。
【図面の簡単な説明】
【０００８】
【図１】図１は、車載用AV機器のインターフェースの分解斜視図である。（第１実施形態）
【図２】図２は、インターフェースの正面図である。（第１実施形態）
【図３】図３は、図２のIII-III線断面図である。（第１実施形態）
【図４】図４は、ホルダの一部切り欠き斜視図である。（第１実施形態）
【図５】図５は、図３のA部拡大図である。（第１実施形態）
【図６】図６は、図３のA部拡大図である。（第２実施形態）
【発明を実施するための形態】
【０００９】
（第１実施形態）
以下、図１〜５を参照して、本願発明の第１実施形態を説明する。図１〜３には、車載用AV機器のユーザーインターフェース１（表示装置）が示されている。
【００１０】
（ユーザーインターフェース１）
図１に示すようにユーザーインターフェース１は、車室側から順に、パネル部２、カバー３、液晶表示パネル４、拡散シート５、導光板６、ホルダ７、配線基板８、裏蓋９によって構成されている。
【００１１】
パネル部２は、車室側に露出する部分である。パネル部２は、液晶表示用窓１０や音量調整用ツマミ１３等を備えている（図２や図３を併せて参照）。
【００１２】
カバー３は、ホルダ７に収容された液晶表示パネル４や拡散シート５、導光板６をホルダ７に対して固定する。
【００１３】
液晶表示パネル４は、透過型液晶パネルである。
【００１４】
拡散シート５は、光を散乱又は拡散させる半透明なシートである。
【００１５】
導光板６は、プラスチック等の樹脂やガラスなどの透光材料からなり、略四角形板状に形成されている。
【００１６】
ホルダ７は、液晶表示パネル４と拡散シート５、導光板６を収容する。ホルダ７は、配線基板８に搭載される。
【００１７】
配線基板８には、液晶表示パネル４のバックライト用光源である複数の縦型LED１４や音量調整用ボリューム１５等が設けられている。
【００１８】
パネル部２は、図１に示すように、配線基板８等を挟みつつ裏蓋９に対してネジで固定される。
【００１９】
（縦型LED１４）
縦型LED１４は、配線基板８に搭載された状態で、光を配線基板８の主面に対して略直交する方向へ出射するように構成された縦型のLEDである。縦型LED１４は、図５に示すように、配線基板８に対して表面実装された状態で、配線基板８の主面に対して略平行となる出射面１４ａを有している。本実施形態において縦型LED１４が出射する光は、広範囲な分光波長域から構成される白色光である。そして、この縦型LED１４から出射された光は導光板６によって液晶表示パネル４に面状に供給される。
【００２０】
（ホルダ７）
ホルダ７は、液晶表示パネル４と拡散シート５、導光板６を収容できるように有底の枠体として形成されている。即ち、ホルダ７は、図４に示すように、枠体を構成する周壁１６と、この周壁１６の内側に形成される底板１７を有している。本実施形態においてホルダ７は配線基板８に対して両面テープで固定されている。
【００２１】
ホルダ７内には、図４に示すように、底板１７に対して面接触で密着させるように導光板６を収容するための導光板収容凹部１８と、底板１７と導光板６を挟んで反対側に液晶表示パネル４を収容するための液晶表示パネル収容凹部１９が形成されている。
【００２２】
また、周壁１６のうち底板１７の短辺に相当する壁部には肉厚部２０が形成されている。この肉厚部２０の内部には導光空間２１が形成されている。導光空間２１は、図５に示すように、配線基板８に向かって開口すると共に、導光板収容凹部１８（導光板収容凹部１８に収容された導光板６）に向かって開口している。従って、導光板６の側面である受光面２２は、導光空間２１に対向している。また、導光空間２１内には、配線基板８に表面実装された縦型LED１４が収容されている。そして、肉厚部２０には、導光空間２１を区画すると共に、導光板６の受光面２２から離れるにつれて配線基板８に近づくように傾斜する平面状の反射導光面２３が形成されている。換言すれば、反射導光面２３は、略平面状に形成されると共に、縦型LED１４からの光の出射方向と導光板６の受光面２２に対して傾斜するするように形成されている。反射導光面２３は、縦型LED１４から出射された光を反射して導光板６の受光面２２に入射させる。
【００２３】
本実施形態においてホルダ７は、略白色材料で形成されている。具体的には、ホルダ７は、白色系樹脂によって形成されている。従って、反射導光面２３は、縦型LED１４から出射された白色光を、特定の波長成分を吸収することなく一様に反射することができる。
【００２４】
また、ホルダ７が略白色材料で形成されていることで、図５に示すように、導光板６に対向する底板１７の面は、導光板６から底板１７側に出射された光を液晶表示パネル４側に反射するための反射面２４として機能する。反射面２４も同様に、導光板６から底板１７側に出射された光を、特定の波長成分を吸収することなく一様に反射することができる。
【００２５】
なお、本実施形態において、縦型LED１４の出射面１４ａは、肉厚部２０の反射導光面２３に対しては対向し、一方で、導光板６の受光面２２に対しては対向していない。縦型LED１４の出射面１４ａは、導光板６の受光面２２に対して略直交する関係にある。縦型LED１４の出射面１４ａと、肉厚部２０の反射導光面２３が成す角は例えば約３０度である。肉厚部２０の反射導光面２３と、導光板６の受光面２２が成す角は例えば約６０度である。
【００２６】
（作動）
以上の構成で、縦型LED１４の出射面１４ａから導光空間２１内に出射された白色光は、反射導光面２３での反射を経て、導光板６の受光面２２から導光板６内に入射する。図５において導光板６の受光面２２に入射する白色光を白抜き矢印でイメージしている。
【００２７】
そして、導光板６内に入射した白色光は、導光板６内での内部全反射を経て、液晶表示パネル４に対して面状に供給される。このとき、導光板６から配線基板８側に出射した白色光は、底板１７の反射面２４によって液晶表示パネル４側に反射する。
【００２８】
以上に、本願発明の第１実施形態を説明したが、要するに、上記第１実施形態は以下の特長を有している。
【００２９】
即ち、ユーザーインターフェース１（表示装置）は、液晶表示パネル４と、縦型LED１４と、導光板６と、ホルダ７を備えている。図５に示すように、ホルダ７の底板１７には、導光板６から底板１７側に出射された光を液晶表示パネル４側に反射するための反射面２４が形成されている。以上の構成によれば、特許文献１の反射シートを省略することができるので、この点、部品点数が削減されたユーザーインターフェース１が実現される。
【００３０】
また、液晶表示パネル４のバックライト用光源として、配線基板８の主面に対して平行な方向へ光を出射するタイプの光源と比較して安価な縦型LED１４を採用しているので、ユーザーインターフェース１の製造コスト削減に寄与している。
【００３１】
また、ホルダ７の周壁１６には、縦型LED１４から出射された光を反射して導光板６の受光面２２（側面）に入射させるための反射導光面２３が形成されている。以上の構成によれば、部品点数を増やすことなく、縦型LED１４から出射された光を導光板６の受光面２２に入射させることができる。
【００３２】
以上に、本願発明の好適な第１実施形態を説明したが、上記第１実施形態は、以下のように変更することができる。
【００３３】
即ち、上記第１実施形態において底板１７の反射面２４は、底板１７を白色系樹脂とすることで形成されているとした。しかし、これに代えて、底板１７に例えばクロム蒸着などにより金属薄膜（金属層）を設けることで反射面２４を形成してもよい。この場合、反射面２４は、導光板６から底板１７側に出射された光を液晶表示パネル４側に高い反射率で反射することができる。それ以外にも、底板１７に白色系塗料を塗布することで反射面２４を形成することにしてもよい。
【００３４】
また、肉厚部２０の反射導光面２３には、例えばクロム蒸着などにより金属薄膜（金属層）を形成してもよい。また、肉厚部２０の反射導光面２３は、平面状に形成することに代えて、湾曲面状に形成してもよい。
【００３５】
（第２実施形態）
次に、図６を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００３６】
上記第１実施形態において反射導光面２３は、図５に示すように、略平面状に形成されると共に、縦型LED１４からの光の出射方向と導光板６の受光面２２に対して傾斜するするように形成されている。これに対し、本実施形態において反射導光面２３は、図６に示すように、縦型LED１４からの光の出射方向に対して略直交し略平面状に形成される第１反射導光面２３ａと、導光板６の受光面２２に対して略平行であって略平面状に形成される第２反射導光面２３ｂによって構成されている。
【００３７】
以上の構成で、縦型LED１４の出射面１４ａから導光空間２１内に出射された白色光は、第１反射導光面２３ａと第２反射導光面２３ｂでの反射を経て、導光板６の受光面２２から導光板６内に入射する。詳しくは、縦型LED１４の出射面１４ａから導光空間２１内に出射された白色光は、第１反射導光面２３ａと第２反射導光面２３ｂで拡散反射を繰り返しつつ導光板６の受光面２２から導光板６内に入射する。この意味で、導光空間２１は、光溜りと表現することができる。
【符号の説明】
【００３８】
１  ユーザーインターフェース
２  パネル部
３  カバー
４  液晶表示パネル
５  拡散シート
６  導光板
７  ホルダ
８  配線基板
９  裏蓋
１４  縦型LED
２１  導光空間
２３  反射導光面
２４  反射面
【図１】
2012138309.tif 000003
【図２】
2012138309.tif 000004
【図３】
2012138309.tif 000005
【図４】
2012138309.tif 000006
【図５】
2012138309.tif 000007
【図６】
2012138309.tif 000008